(57)【要約】【課題】室内全体に給気流を流れるようにして有効的な換気を実現できる空気調和機能付換気装置を提供することを目的とする。【解決手段】前後方向に重ね合わせ内壁面１に設置される換気ユニット２を有した装置本体３および空気調和ユニット４を備え、装置本体３の上部に設けた室内側給気口１１より給気した給気流の一部を空気調和ユニット４の上部に設けた循環空気の吸い込み口１２に取り入れ調和された空気を空気調和ユニット４の下部に設けた吹出口１３から室内に吹き出すことにより室内全体に空気流が流れるようにして有効的な換気を実現できる空気調和機能付換気装置を得られる。【選択図】図１
2006250463.tif 000002
【特許請求の範囲】
【請求項１】
前後方向に重ね合わせて内壁面に設置される換気ユニットを有した装置本体および空気調和ユニットとを備え、前記装置本体を壁面側に配置するとともに、前記装置本体より室内へ取り入れる給気流の一部を、前記空気調和ユニットの上部に設けた循環空気の吸い込み口に取り入れ、調和された空気を空気調和ユニットの下部に設けた吹出口から室内に吹き出す構成とした空気調和機能付換気装置。
【請求項２】
換気ユニットを、１本のダクトの内部を仕切って給気風路と排気風路を形成した二層ダクトの前記給気風路と排気風路にそれぞれ連通し隣り合って形成される室外側給気口と室外側排気口を有して室内側に配設される本体と、この本体の内部に設けられ、室内側に向って給気するための給気用ファンおよび室外側に排気するための排気用ファンと、前記給気用ファンを介して前記室外側給気口と連通するように前記本体に設けられる室内側給気口と、前記排気用ファンを介して前記室外側排気口と連通するように前記本体に設けられる室内側排気口とにより形成し、前記給気用ファンの回転軸および前記排気用ファンの回転軸が室内側壁面に対して垂直方向となるように前記給気用ファンおよび前記排気用ファンを前記室内側壁面に沿う方向に並べて配設し、前記本体を前記室内側壁面に向って正面視したとき、前記二層ダクトの中心を前記給気用ファンの回転の中心と、前記排気用ファンの回転の中心との間で前記給気用ファンの回転の中心側寄りとなるように配設した構成の請求項１記載の空気調和機能付換気装置。
【請求項３】
換気ユニットを室内側壁面に向って正面視したとき、給気風路と排気風路を区画するために二層ダクトの内部中央で仕切られた仕切り部に対して垂直方向で前記仕切り部から前記二層ダクトの給気風路の内面に至る最も距離のある部分が室外側給気口と対向する位置に設けた給気用ファンの吸込口の内側に含まれるように前記二層ダクトを設けた請求項１または２記載の空気調和機能付換気装置。
【請求項４】
換気ユニットを室内側壁面に向って正面視したとき、二層ダクトの排気風路に連通する室外側排気口の開口の一部が、室外側給気口と対向する位置に設けた給気用ファンの吸込口の内側に含まれるように、前記二層ダクトを本体に対して設けた請求項１または２記載の空気調和機能付換気装置。
【請求項５】
本体を、室内側壁面に向かって正面視したとき、二層ダクトの排気風路に連通する室外側排気口の開口が、室内側に設けられる排気用ファンの吸込口の内側に含まれない位置に前記二層ダクトを本体に対して設けた請求項２記載の空気調和機能付換気装置。
【請求項６】
換気ユニットの排気用ファンを覆う形状で吸込口と吐出口を備えた排気用ファンケーシングを設け、前記排気用ファンの側方に位置する給気用ファンと室内壁との間に、前記排気用ファンケーシングの吐出口から室外側排気口に至る排気通路を備えた請求項１または２記載の空気調和機能付換気装置。
【請求項７】
換気ユニットの排気用ファンを覆う形状で吸込口と吐出口を備えた排気用ファンケーシングを設け、前記排気用ファンケーシングの吐出口から室外側排気口に至る排気通路を形成し、前記排気通路を形成する側壁に前記室外側排気口に向って室内壁面に対して傾斜する傾斜部を形成した請求項１〜５または６記載の空気調和機能付換気装置。
【請求項８】
排気用ファンを覆う形状で吸込口と吐出口を備えた排気用ファンケーシングを設け、前記排気用ファンケーシングの吐出口から室外側排気口に至る排気通路を全体として前記室外側排気口に向かい内壁面に対して傾斜するように形成した請求項２〜５または６記載の空気調和機能付換気装置。
【発明の詳細な説明】
【技術分野】
【０００１】
本発明は、空気調和機能と常時換気機能をもたらす空気調和機能付換気装置に関する。
【背景技術】
【０００２】
従来、この種の空気調和機能付換気装置の一例としてスプリット形空気調和機の換気装置が知られている（例えば、特許文献１参照）。
【０００３】
以下、そのスプリット形空気調和機の換気装置について図９および図１０を参照しながら説明する。
【０００４】
図に示すように、換気装置付空気調和機１０１の室内ユニット１０２に換気ユニット１０３を設け、ケーシング１０４内に熱交換器１０５と排気用の横流れファン１０６と吸気用の横流れファン１０７と空気を案内するための発泡スチロールで形成した導入室１０８、１０９と、ケーシング１０４の下面に吸込孔１１０と、上面に吹出孔１１１を設け、室内ユニット１０２には前面に循環空気吸込口１１２と、下面に循環空気吹出口１１３を設け構成している。
【特許文献１】特開平３−１９５８３４号公報（３頁、第１図、第２図）
【発明の開示】
【発明が解決しようとする課題】
【０００５】
このような従来のスプリット形空気調和機の換気装置では、換気ユニット１０３は室内空気を下面の吸込孔１１０より吸い込み、屋外に排気し、屋外の新鮮な空気を上面の吹出孔１１１より室内に給気するもので、室内に給気された空気の一部が室内ユニット１０２により空調されて室内全体に給気流が流れるようにすることができないという課題があり、室内に給気される屋外の空気を空気調和ユニットで空調して室内全体に流れるようにすることが要求されている。
【０００６】
本発明は、上記課題を解決するもので、室内全体に給気流が流れるようにして有効的な換気を実現できる空気調和機能付換気装置を提供することを目的としている。
【課題を解決するための手段】
【０００７】
本発明の空気調和機能付換気装置は上記目的を達成するために、前後方向に重ね合わせて内壁面に設置される換気ユニットを有した装置本体および空気調和ユニットとを備え、前記装置本体を壁面側に配置するとともに、前記装置本体より室内へ取り入れる給気流の一部を前記空気調和ユニットの上部に設けた循環空気の吸い込み口に取り入れ、調和された空気を空気調和ユニットの下部に設けた吹出口から室内に吹き出す構成としたものである。
【０００８】
この手段により、室内全体に給気流を流すことができ、室内全体に有効的な換気が実現できる空気調和機能付換気装置が得られる。
【０００９】
また、他の手段は、換気ユニットを１本のダクト内部を仕切って給気風路と排気風路を形成した二層ダクトの前記給気風路と排気風路にそれぞれ連通し隣り合って形成される室外側給気口と室外側排気口を有して室内側に配設される本体と、この本体の内部に設けられ、室内側に向って給気するための給気用ファンおよび室外側に排気するための排気用ファンと、前記給気用ファンを介して前記室外側給気口と連通するように前記本体に設けられる室内側給気口と、前記排気用ファンを介して前記室外側排気口と連通するように前記本体に設けられる室内側排気口とにより形成し、前記給気用ファンの回転軸および前記排気用ファンの回転軸が内壁面に対して垂直方向となるように前記給気用ファンおよび前記排気用ファンを前記内壁面に沿う方向に並べて配設し、前記本体を前記室内側壁面に向って正面視したとき、前記二層ダクトの中心を前記給気用ファンの回転の中心と、前記排気用ファンの回転の中心との間で前記給気用ファンの回転の中心側寄りとなるように配設したものである。
【００１０】
この手段により、換気ユニットおよび装置本体の奥行き寸法を薄くすることができるとともに換気性能を確保できる空気調和機能付換気装置が得られる。
【００１１】
また、他の手段は、換気ユニットを、室内側壁面に向って正面視したとき、給気風路と排気風路を区画するために二層ダクトの内部中央で仕切られた仕切り部に対して垂直方向で前記仕切り部から前記二層ダクトの給気風路の内面に至る最も距離のある部分が室外側給気口と対向する位置に設けた給気用ファンの吸込口の内側に含まれるように前記二層ダクトを設けたものである。
【００１２】
この手段により、二層ダクト内から取り込む給気流の吸込、風路の抵抗を低減することができるとともに、室外側排気口を給気用ファン寄りに設けることにもなり排気用ファンの性能も確保することができる空気調和機能付換気装置が得られる。
【００１３】
また、他の手段は、換気ユニットを、内壁面に向って正面視したときに、二層ダクトの排気風路に連通する室外側排気口の開口の一部が室外側給気口と対向する位置に設けた給気用ファンの吸込口の内側に含まれるように、前記二層ダクトを本体に対して設けたものである。
【００１４】
この手段により、排気通路を長く形成して排気風量を向上させることができる空気調和機能付換気装置が得られる。
【００１５】
また、他の手段は、本体を内壁面に向って正面視したとき、二層ダクトの排気風路に連通する室外側排気口の開口が、室内側に設けられる排気用ファンの吸込口の内側に含まれない位置に前記二層ダクトを本体に対して設けたものである。
【００１６】
この手段により、排気通路を長く形成して排気風量を向上させることのできる空気調和機能付換気装置が得られる。
【００１７】
また、他の手段は、換気ユニットの排気用ファンを覆う形状で吸込口と吐出口を備えた排気用ファンケーシングを設け、前記排気用ファンの側方に位置する給気用ファンと室内壁との間に、前記排気用ファンケーシングの吐出口から室外側排気口に至る排気通路を備えたものである。
【００１８】
この手段により、本体を小形に形成して装置本体の横方向寸法を小さくできる空気調和機能付換気装置が得られる。
【００１９】
また、他の手段は、換気ユニットの排気用ファンを覆う形状で吸込口と吐出口を備えた排気用ファンケーシングを設け、前記排気用ファンケーシングの吐出口から室外側排気口に至る排気通路を形成し、前記排気通路を形成する側壁に前記室外側排気口に向って室内壁面に対して傾斜する傾斜部を形成したものである。
【００２０】
この手段により、排気流をスムーズに室外側排気口に導入することができ、また、排気流の風量特性を向上させることができ、また、装置本体を大きくすることなく、スペースを有効に活用できる空気調和機能付換気装置が得られる。
【００２１】
また、他の手段は、排気用ファンを覆う形状で吸込口と吐出口を備えた排気用ファンケーシングを設け、前記排気用ファンケーシングの吐出口から前記室外側排気口に至る排気通路を全体として前記室外側排気口に向かい室内壁面に対して傾斜するように形成したものである。
【００２２】
この手段により、風路抵抗を低減し排気流の風量特性をさらに向上できる空気調和機能付換気装置が得られる。
【発明の効果】
【００２３】
本発明によれば、室内全体に給気流を流すことができ、室内全体に有効的に換気が実現できるという効果のある空気調和機能付換気装置を提供できる。
【００２４】
また、換気ユニットおよび装置本体の奥行き寸法を薄くすることができるとともに、換気性能を確保できるという効果のある空気調和機能付換気装置を提供できる。
【００２５】
また、二層ダクト内から取り込む給気流の吸込風路の抵抗を低減することができるとともに、室外側排気口を給気用ファン寄りに設けることにもなり排気用ファンの性能も確保することができるという効果のある空気調和機能付換気装置を提供できる。
【００２６】
また、排気通路を長く形成して排気風量を向上させることができるという効果のある空気調和機能付換気装置を提供できる。
【００２７】
また、換気ユニットの本体を小形に形成して装置本体の横方向の寸法を小さくできるという効果のある空気調和機能付換気装置を提供できる。
【００２８】
また、排気流をスムーズに室外側排気口に導入することができ、また、排気流の風量特性を向上させることができ、また、装置本体を大きくすることなく、スペースを有効に活用できるという効果のある空気調和機能付換気装置を提供できる。
【００２９】
また、風路抵抗を低減し排気流の風量特性をさらに向上できるという効果のある空気調和機能付換気装置を提供できる。
【発明を実施するための最良の形態】
【００３０】
本発明の請求項１記載の発明は、前後方向に重ね合わせて内壁面に設置される換気ユニットを有した装置本体および空気調和ユニットとを備え、前記装置本体を壁面側に配置するとともに、前記装置本体より室内へ取り入れる給気流の一部を、前記空気調和ユニットの上部に設けた循環空気の吸い込み口に取り入れ、調和された空気を空気調和ユニットの下部に設けた吹出口から室内に吹き出す構成としたものであり、装置本体に設けた換気ユニットにより室外の新鮮な空気が室内に給気され、空気調和ユニットの循環空気吸い込み口より空気調和ユニット内に吸い込まれた給気流の一部は、空気調和ユニット内に設けた熱交換手段により、空調されたのち、室内に吹き出されることとなり、空調された空気は室内全体に送風されることとなって室内全体に有効的な換気が実現できるという作用を有する。
【００３１】
また、請求項２記載の発明は、換気ユニットを、１本のダクトの内部を仕切って給気風路と排気風路を形成した二層ダクトの前記給気風路と排気風路にそれぞれ連通し隣り合って形成される室外側給気口と室外側排気口を有して室内側に配設される本体と、この本体の内部に設けられ、室内側に向って給気するための給気用ファンおよび室外側に排気するための排気用ファンと、前記給気用ファンを介して前記室外側給気口と連通するように前記本体に設けられる室内側給気口と、前記排気用ファンを介して前記室外側排気口と連通するように前記本体に設けられる室内側排気口とにより形成し、前記給気用ファンの回転軸および前記排気用ファンの回転軸が内壁面に対して垂直方向となるように前記給気用ファンおよび前記排気用ファンを前記内壁面に沿う方向に並べて配設し、前記本体を前記内壁面に向って正面視したとき、前記二層ダクトの中心を前記給気用ファンの回転の中心と、前記排気用ファンの回転の中心との間で前記給気用ファンの回転の中心側寄りとなるように配設したものであり、排気用ファンの吸込口を室外側給気口に近づけることにより給気用ファンの吸込口周りの風路抵抗を低減できるとともに、排気用ファンの吐出口から室外側排気口への距離を確保して排気流の風路抵抗を低減することができ、換気ユニットの装置本体に対する奥行方向の厚さを薄くして換気ユニット全体の厚みを薄くすることができ、薄くしても換気性能を確保することができるという作用を有する。
【００３２】
また、請求項３記載の発明は、換気ユニットを、内壁面に向って正面視したとき、給気風路と排気風路を区画するために二層ダクトの内部中央で仕切られた仕切り部に対して垂直方向で前記仕切り部から前記二層ダクトの給気風路の内面に至る最も距離のある部分が室外側給気口と対向する位置に設けた給気用ファンの吸込口の内側に含まれるように前記二層ダクトを設けたものであり、室外側給気口の中央部を給気用ファンの吸込口に近づけて対抗させて給気用ファンの吸込口の中央部付近の室外側に室外側給気口が存在することにより、二層ダクト内から取り込む給気流の吸込風路の抵抗を低減することができるとともに、室外側排気口を給気用ファン寄りに設けることにもなり排気用ファンの性能も確保することができるという作用を有する。
【００３３】
また、請求項４記載の発明は、換気ユニットを、内壁面に向って正面視したとき、二層ダクトの排気風路に連通する室外側排気口の開口の一部が、室外側給気口と対向する位置に設けた給気用ファンの吸込口の内側に含まれるように、前記二層ダクトを本体に対して設けたものであり、室外側排気口を給気用ファンよりに偏らせて設けられ、室外側排気口と排気用ファンの吐出口との距離を長く設けることができることにより室外側排気口から排気用ファンの吐出口に至って形成される排気通路を長く形成して排気風量を向上させることができるという作用を有する。
【００３４】
また、請求項５記載の発明は、本体を、内壁面に向って正面視したとき、二層ダクトの排気風路に連通する室外側排気口の開口が室内側に設けられる排気用ファンの吸込口の内側に含まれない位置に前記二層ダクトを本体に対して設けたものであり、室外排気口を排気用ファンから離れて設けたので、室外側排気口と排気用ファンの吐出口との距離を長く設けることができ、室外側排気口から排気用ファンの吐出口に至って形成される排気通路を長く形成して排気風量を向上させることができるという作用を有する。
【００３５】
また、請求項６記載の発明は、換気ユニットの排気用ファンを覆う形状で吸込口と吐出口とを備えた排気用ファンケーシングを設け、前記排気用ファンの側方に位置する給気用ファンと内壁面との間に前記排気用ファンケーシングの吐出口から室外側排気口に至る排気通路を備えたものであり、排気用ファンを給気用ファンに近づけて配置することにより、換気ユニットの横寸法を小さくして本体を小形に形成することができる。
【００３６】
また、請求項７記載の発明は、換気ユニットの排気用ファンを覆う形状で吸込口と吐出口を備えた排気用ファンケーシングを設け、前記排気用ファンケーシングの吐出口から室外側排気口に至る排気通路を形成し、前記排気通路を形成する側壁に前記室外側排気口に向って内壁面に対して傾斜する傾斜部を形成したものであり、排気用ファンから吐き出される気流をスムーズに室外側排気口に導入することができるとともに、排気通路の風路抵抗を低減し排気流の風量特性を向上させることができ、また、換気ユニットの本体を大きくすることなく給気用ファンの内壁側のスペースを有効に活用して排気通路を形成することができるという作用を有する。
【００３７】
また、請求項８記載の発明は、排気用ファンを覆う形状で吸込口と吐出口を備えた排気用ファンケーシングを設け、前記排気用ファンケーシングの吐出口から室外側排気口に至る排気通路を全体として前記室外側排気口に向かい室内壁面に対して傾斜するように形成したものであり、排気用ファンから吐き出される気流をよりスムーズに室外側排気口に導入することができ、風路抵抗を低減し排気流の風量特性をさらに向上させることができるという作用を有する。
【００３８】
以下、本発明の実施の形態について図面を参照しながら説明する。
【００３９】
（実施の形態１）
図１〜図７に示すように、前後方向に重ね合わせて内壁面１に設置される換気ユニット２を有した装置本体３を空気調和ユニット４を設け、装置本体３を内壁面１側に配置するとともに、空気調和ユニット４の下方位置に換気ユニット２を装置本体３より出し入れ自在とするように、装置本体３にスライドレール５を設け、スライドレール５にスライドするスライド機構６を換気ユニット２に設け、換気ユニット２を装置本体３より出し入れできるように装置本体３の下方に換気ユニット２の出し入れ用開口７を設け、出し入れ用開口７には蓋８を開閉自在に設ける。
【００４０】
また、装置本体３には、換気ユニット２を取り付ける換気ユニット取付板９と、下面に室内側排気口１０と、上面に室内側給気口１１とを設け、空気調和ユニット４には、上部に室内の空気を循環させる循環空気の吸い込み口１２を設け、下部には吹出口１３を設ける。
【００４１】
また、換気ユニット２を、１本のダクトの内部を仕切り部１４により仕切って給気風路１５と排気風路１６を形成した二層ダクト１７の屋外側には屋外フード１８を設け、二層ダクト１７の給気風路１５と連通する室外側給気口１９と排気風路１６に連通する室内側排気口１０を有して換気ユニット２の本体は配設され換気ユニット２の本体の内部には室内側に向って給気するための給気用ファン２１および室外側に排気するための排気用ファン２２と、給気用ファン２１を介して室外側給気口１９と連通するように本体に設けられる室内側給気口１１と、排気用ファン２２を介して室外側排気口２０と連通するように本体に設けられる室内側排気口１０とにより形成し、給気用ファン２１の給気用ファンの回転軸２３および排気用ファン２２の排気用ファンの回転軸２４が内壁面１に対して垂直方向となるように給気用ファン２１および排気用ファン２２を内壁面１に沿う方向に並べて配設し、本体を内壁面１に向って正面視したとき二層ダクト１７の中心を給気用ファン２１の回転の中心と、排気用ファン２２の回転の中心との間で給気用ファン２１の回転の中心側寄りになるように配設する。
【００４２】
また、換気ユニット２を内壁面１に向って正面視したとき、給気風路１５と排気風路１６を区画するために二層ダクト１７の内部中央で仕切られた仕切り部１４に対して垂直方向で仕切り部１４から二層ダクト１７の給気風路１５の内面に至る最も距離のある部分が室外側給気口１９と対向する位置に設けた給気用ファン２１の吸込口の内側に含まれるように二層ダクト１７を設ける。
【００４３】
また、換気ユニット２を内壁面１に向って正面視したとき、二層ダクト１７の排気風路１６に連通する室外側排気口２０の開口の一部が室外側給気口１９と対向する位置に設けた給気用ファン２１の吸込口の内側に含まれるように、二層ダクト１７を本体に対して設ける。
【００４４】
また、換気ユニット２の本体を内壁面１に向って正面視したとき、二層ダクト１７の排気風路１６に連通する室外側排気口２０の開口が室内側に設けられる排気用ファン２２の吸込口の内側に含まれない位置に、二層ダクト１７を本体に対して設ける。
【００４５】
また、換気ユニット２の排気用ファン２２を覆う形状で吸込口と吐出口を備えた排気用ファンケーシング２５を設け、排気用ファン２２の側方に位置する給気用ファン２１と内壁面１との間に排気用ファンケーシング２５の吐出口から室外側排気口２０に至る排気通路２６を設ける。
【００４６】
また、換気ユニット２の排気用ファン２２を覆う形状で吸込口と吐出口を備えた排気用ファンケーシング２５を設け、排気用ファンケーシング２５の吐出口から室外側排気口２０に至る排気通路２６を形成する側壁に室外側排気口２０に向って内壁面１に対して傾斜する傾斜部２７を形成し構成する。
【００４７】
上記構成において、内壁面１に取り付けた換気ユニット２を有した装置本体３および空気調和ユニット４を運転すると、空気調和ユニット４において、室内の空気が上部に設けた室内空気を循環空気の吸い込み口１２より吸い込まれ内部に設けた熱交換手段（図示せず）により熱交換され、下部に設けた吹出口１３より冷風または温風が吹き出されて室内の空調が行なわれ、装置本体３に設けた換気ユニット２は、室内の汚染された空気を下部に設けた室内側排気口１０より吸い込み、排気用ファン２２により二層ダクト１７の排気風路１６を通って屋外に排気し、一方、屋外の新鮮な外気が二層ダクト１７の給気風路１５内に吸い込まれ、給気用ファン２１により装置本体３の上部に設けた室内側給気口１１より室内に給気され、給気流の一部を、空気調和ユニット４の上部に設けた吸い込み口１２に取り入れ、調和された空気を下部に設けた吹出口１３より吹き出し、給気流が室内全体に流れることにより、室内全体を換気する有効的な換気を実現できることとなる。
【００４８】
また、換気ユニット２を、二層ダクト１７の給気風路１５と排気風路１６に連通し、隣り合って形成される室外側給気口１９と室外側排気口２０を有し、内部に給気用ファン２１および排気用ファン２２と、給気用ファン２１を介して室外側給気口１９と連通するように設けられる室内側給気口１１と、排気用ファン２２を介して室外側排気口２０と連通する室内側排気口１０を設け、給気用ファンの回転軸２３および排気用ファンの回転軸２４が内壁面１に対して垂直方向で給気用ファン２１と排気用ファン２２を内壁面１に沿う方向に並設し、内壁面１に向って正面視したとき、二層ダクト１７の中心を給気用ファン２１の回転の中心と、排気用ファン２２の回転の中心との間で給気用ファン２１の回転の中心側寄りとなるように配設していることにより、排気用ファン２２の吸込口を室外側給気口１９に近づき、給気用ファン２１の吸込口周りの風路抵抗を低減できるとともに、排気用ファン２２の吐出口から室外側排気口２０への距離を確保して排気流の風路抵抗を低減することができ、換気ユニット２の装置本体３に対する奥行方向の厚さを薄くして換気ユニット２全体の厚みを薄くすることができ、薄くしても換気性能を確保することができることとなる。
【００４９】
また、換気ユニット２を、内壁面１に向って正面視したとき、給気風路１５と排気風路１６を区画するために二層ダクト１７の仕切り部１４に対して垂直方向で仕切り部１４から二層ダクト１７の給気風路１５の内面に至る最も距離のある部分が室内側給気口１１と対向する位置に設けた給気用ファン２１の吸込口の内側に含まれるように二層ダクト１７を設けていることにより、室外側給気口１９の中央部を給気用ファン２１の吸込口に近づけて対向させ、給気用ファン２１の吸込口の中央部付近の室外側に室外側給気口１９が存在し、二層ダクト１７内から取り込む給気流の吸込風路の抵抗を低減することができるとともに、室外側排気口２０を給気用ファン２１寄りに設けられることとなり、排気用ファン２２の性能も所定の性能を確保することができることとなる。
【００５０】
また、換気ユニット２を、内壁面１に向って正面視したとき、二層ダクト１７の排気風路１６に連通する室外側排気口２０の開口の一部が室外側給気口１９と対向する位置に設けた給気用ファン２１の吸込口の内側に含まれるように、二層ダクト１７を設けていることにより、室外側排気口２０を給気用ファン２１よりに偏らせて設けられ室外側排気口２０と排気用ファン２２の吐出口との距離を長く設けることができ室外側排気口２０から排気用ファン２２の吐出口に至って形成される排気通路２６を長く形成して排気風量を向上させることができることとなる。
【００５１】
また、換気ユニット２の本体を、内壁面１に向って正面視したとき、二層ダクト１７の排気風路１６に連通する室外側排気口２０の開口が室内側に設けられる排気用ファン２２の吸込口の内側に含まれない位置に、二層ダクト１７を設けていることにより、室外側排気口２０を排気用ファン２２が離れて設けられ室外側排気口２０と排気用ファン２２の吐出口との距離を長く設けることができ、室外側排気口２０から排気用ファン２２の吐出口に至って形成される排気通路２６を長く形成して排気風量を向上させることができることとなる。
【００５２】
また、換気ユニット２の排気用ファン２２を覆う形状で吸込口と吐出口を備えた排気用ファンケーシング２５を設け、排気用ファン２２の側方に位置する給気用ファン２１と内壁面１との間に排気用ファンケーシング２５の吐出口から室外側排気口２０に至る排気通路２６を備えたことにより、排気用ファン２２が給気用ファン２１に近づいて配置され換気ユニット２の横寸法を小さくして小形に形成できることとなる。
【００５３】
また、換気ユニット２の排気用ファン２２を覆う形状で吸込口と吐出口を備えた排気用ファンケーシング２５を設け、排気用ファンケーシング２５の吐出口から室外側排気口２０に至る排気通路２６を形成し、排気通路２６を形成する側壁に室外側排気口２０に向って内壁面１に対し傾斜する傾斜部２７を形成したことにより、排気用ファン２２から吐き出される気流をスムーズに室外側排気口２０に導入することができるとともに、排気通路２６の風路抵抗を低減し排気流の風量特性を向上させることができ、また、換気ユニット２の本体を大きくすることなく給気用ファン２１の内壁面１側のスペースを有効に活用して排気通路２６を形成することができることとなる。
【００５４】
また、換気が進み換気ユニット２が汚染し、掃除またはメンテナンスを行う場合には、装置本体３の下面に設けた蓋８を開放し、出し入れ用開口７より換気ユニット２を下方に引き出し、空気調和ユニット４の下方位置まで引き出した状態で、換気ユニット２の掃除またはメンテナンスを行うことにより、換気ユニット２の掃除またはメンテナンスのときに、いちいち空気調和ユニット４を取り外すことがなくなり、換気ユニット２の掃除およびメンテナンス性を高めることができることとなる。
【００５５】
なお、実施の形態１では空気調和ユニット４について、冷房または暖房を行う時期における状態で説明したが、冷房または暖房を行なわない中間期においても空気調和ユニット４の熱交換手段の運転を停止し、循環運転のみを行うことにより室内全体に給気流を送ることができる作用効果に差異を生じない。
【００５６】
（実施の形態２）
図８に示すように、排気用ファン２２Ａを覆う形状で吸込口と吐出口を備えた排気用ファンケーシング２５Ａを設け、排気用ファンケーシング２５Ａの吐出口から室外側排気口２０Ａに至る排気通路２６Ａを全体として室外側排気口２０Ａに向かい内壁面１に対して傾斜するように傾斜部２７Ａを形成した構成とする。
【００５７】
上記構成において、排気用ファンケーシング２５Ａの吐出口から室外側排気口２０Ａに至る排気通路２６Ａを室外側排気口２０Ａに向かい内壁面に対し傾斜させることにより、排気用ファン２２Ａから吐出される気流をよりスムーズに室外側排気口２０Ａに導入することができ、風路抵抗を低減し、排気流の風量特性をさらに向上させることができることとなる。
【産業上の利用可能性】
【００５８】
換気ユニットに変え空気清浄機を空気調和ユニットに組み合わせ、浄化された空気の一部を空気調和ユニットを用い室内全体に浄化空気を送る用途にも適用できる。
【図面の簡単な説明】
【００５９】
【図１】本発明の実施の形態１の空気調和機能付換気装置の運転時の概略断面図
【図２】同空気調和機能付換気装置の換気ユニットを引き出した状態の側面図
【図３】同空気調和機能付換気装置の換気ユニットを引き出した状態の斜視図
【図４】同空気調和機能付換気装置の装置本体の設置状態を示す断面図
【図５】同室外側給気口および室外側排気口と給気用ファンの位置関係を示す正面図
【図６】同排気用ファン側の構成を示す断面図
【図７】同空気調和機能付換気装置を内壁面に設置した状態を示す斜視図
【図８】本発明の実施の形態２の空気調和機能付換気装置の排気側の構成を示す部分断面図
【図９】従来のスプリット形空気調和機の換気装置を示す斜視図
【図１０】同スプリット形空気調和機の換気装置の側面図
【符号の説明】
【００６０】
１    内壁面
１Ａ  内壁面
２    換気ユニット
３    装置本体
４    空気調和ユニット
１０  室内側排気口
１１  室内側給気口
１２  吸い込み口
１３  吹出口
１５  給気風路
１６  排気風路
１７  二層ダクト
１９  室外側給気口
２０  室外側排気口
２０Ａ  室外側排気口
２１  給気用ファン
２２  排気用ファン
２２Ａ  排気用ファン
２３  給気用ファンの回転軸
２４  排気用ファンの回転軸
２５  排気用ファンケーシング
２５Ａ  排気用ファンケーシング
２６  排気通路
２６Ａ  排気通路
２７  傾斜部
２７Ａ  傾斜部
【図１】
2006250463.tif 000003
【図２】
2006250463.tif 000004
【図３】
2006250463.tif 000005
【図４】
2006250463.tif 000006
【図５】
2006250463.tif 000007
【図６】
2006250463.tif 000008
【図７】
2006250463.tif 000009
【図８】
2006250463.tif 000010
【図９】
2006250463.tif 000011
【図１０】
2006250463.tif 000012